(57)【要約】【課題】操作部等を配置した凹み部の前面に開閉可能なドア板を備えた電子機器において、ユーザーが操作部を介して電子機器の操作を行う際に閉鎖位置にあるドア板を開けた後、開放位置にあるドア板が不用意に閉じることがないよう保持できる開閉可能なドア板を備えた電子機器の提供。【解決手段】電子機器に形成した凹み部１に対して開放位置と閉鎖位置との間でドア板２を枢動自在に支持するためのピボット手段を設け、さらに当該ピボット手段に当該ドア板２を開放位置に保持するための係止手段を設ける。又、ドア板２を上方側に枢動する構造とすれば、凹み部に対する防塵が可能となる。【選択図】図２
2005290973.tif 000002
【特許請求の範囲】
【請求項１】
電子機器の接続端子及び／又は操作部を収納する凹み部を形成するための内壁と、当該接続端子及び／又は操作部にユーザーがアクセスできる開口部と、当該開口部を閉鎖することができるドア板と、当該ドア板を当該開口部に対して開放位置と閉鎖位置との間で枢動自在に支持し、かつ当該ドア板を開放位置に係止することができるピボット支持手段と、を有する開閉ドアを備えた電子機器。
【請求項２】
当該ピボット支持手段は、当該内壁又は当該ドア板のいずれかに形成されて当該ドア板枢動の中心となるピボット軸と、当該ドア板又は当該内壁のいずれかに形成されて当該ピボット軸を回動自在に受容する軸受けとからなり、当該ピボット軸と当該ピボット軸受けは、当該ドア板が開放位置にあるときに係止するための相互係合部を形成してなる、請求項1に記載の開閉ドアを備えた電子機器。
【請求項３】
当該ドア板にブラケットを設け、その先端に当該軸受けを形成し、当該内壁の対向する壁に当該ピボット軸を相互方向に当該軸受けで承支するように突出させ、当該ピボット軸は、その円周承支面に軸方向に延伸する溝を形成し、当該軸受けは軸受け面に畝状リブを形成して、当該ドア板が開放位置にあるときに係止するようにした請求項２に記載の開閉ドアを備えた電子機器。
【請求項４】
当該ドア板にブラケットを設け、その先端に当該軸受け部を形成し、当該内壁の対向する壁に当該ピボット軸を相互方向に当該軸受けで承支するように突出させ、当該ピボット軸はその突出先端部近傍から半径方向に延出した支持部材を有し、当該軸受けはそのピボット軸突出先端部に対応する端面において軸方向に突起を設け、当該ドア板が開放位置にあるとき、当該軸受けに形成した突起が当該支持部材に係止するようにした請求項２に記載の開閉ドアを備えた電子機器。
【請求項５】
開放位置にあるドア板を接続端子及び／又は操作部の上方にて保持するようにした請求項３又は４に記載の開閉ドアを備えた電子機器。
【発明の詳細な説明】
【技術分野】
【０００１】
この発明は、ＡＶジャックなどの接続端子や押圧ボタン等の操作部を配置した収納部の前面側において、開閉可能なドアを備えた電子機器に関する。
【背景技術】
【０００２】
特許文献１には、ＤＶＤプレーヤーなどの電子機器の蓋体を開けようとするとき半開きの開放位置に係止する構造が開示されている。しかし、特許文献１はドアを開放位置に係止するという効果については類似しているが、その目的と構造については本発明と異なることから、以下に本発明が関わる技術的目的を達成するための従来技術について説明する。映像表示装置や映像記録再生装置等に代表される電子機器を構成するフロントパネルには、図３に示すように、他の電子機器との信号の入出力を行うために必要な接続端子や、電子機器を操作するために必要な押圧ボタン等の操作部がフロントパネルの外観面より奥側へ入り込んだ凹み部１に配置されている。この凹み部１は、５面の内壁、すなわち側壁１１、１４、奥壁１５、上面壁１３、及び底面壁１２により構成されており、図１３乃至図１４に示すように、凹み部１の対向する側壁１１及び１４は、後述する機能を果たすために奥壁１５に向かってその離間距離が漸次小さくなるように傾斜した状態で形成されている。すなわち、奥壁１５に向かって側壁１１及び１４は互いに接近するように距離が小さくなっている。尚、奥壁１５と対向する他の1方向は開口部１６となっており、この凹み部１には開口部１６を塞ぐためのドア板２が取り付けられている。凹み部１の開口部１６側にドア板２を取り付けることで、ドア板２を閉鎖した時には電子機器の前面に配置した接続端子や操作部が凹み部１に収納された状態となり、ドア板２を開放した時には凹み部１に配置された接続端子や操作部が電子機器の外部に露出して、他の電子機器との間で信号の入出力を行うためのケーブルの接続や、或いは電子機器の操作が可能となる。このようなドア板２を電子機器のフロントパネルに取り付けた構造については、電子機器の外観意匠を向上する為に従来より多用されている。
【０００３】
【特許文献１】特開２０００−１４５２６９号公報
【０００４】
図１１は、従来の電子機器の凹み部１におけるドア板２の取り付け構造を一部切欠き分解して示しており、開口部１６に対してほぼ垂直に伸びる凹み部１の側壁１１には、ピボット軸となる円筒状の支柱４０が開口部１６とほぼ平行に突出している。ドア板２にはブラケット２０が設けられ、このブラケット２０は凹み部１の側壁１１から突出した支柱４０の円筒表面４１を挟み込む湾曲したブラケット受容部材２１、２１を有する。ブラケット受容部材２１、２１は支柱４０の円筒表面４１と接触するブラケット受容面２２、２２を有し、ドア板２のブラケット２０が支柱４０に取り付けられた時、円筒表面４１とブラケット受容面２２、２２とが接触する。又、このドア板２に形成したブラケット２０とフロントパネルの凹み部１に形成した支柱４０との取り付け構造は、凹み部１の側壁１１側のみならず、対向する側壁１４側にも設けられている。ドア板２はこの支柱４０とブラケット２０によって凹み部１の開口部１６側に枢動自在に取り付けられる。
【０００５】
図１２（Ａ）及び図１２（Ｂ）は、ドア板が閉鎖位置と開放位置にある時の支持部近傍の状態を示している。図１２（Ａ）ではドア板２が閉鎖位置にある状態を示しており、ユーザーなどがドア板２を開けて凹み部１に配置している接続端子に他の電子機器との間で信号の入出力を行うためのケーブルの接続、或いは電子機器の操作を行うための押圧ボタン等の操作部にアクセスするとき、ドア板２を矢印の方向に手で回動させると、図１２（Ｂ）に示すようにドア板２が支持部４０を支点として回動し、ドア板２が開放位置にある状態となる。ドア板２はこの開放位置で凹み部１の側壁１１と１４との接近する側壁の内壁に摩擦係合し、この摩擦係合によりドア板２は開放位置に保持され、指を離してもこの摩擦を克服する力を図１２（Ｂ）の矢印方向に与えない限り、ドア板２が閉鎖位置となる図１２（Ａ）の状態へは枢動しない。従って、開放位置となる図１２（Ｂ）の状態から摩擦を克服する大きさの力をドア板２に与えることにより、ブラケット２０が支柱４０を支点に枢動されて閉鎖位置となる。
【発明の開示】
【発明が解決しようとする課題】
【０００６】
しかし、従来のドアの開閉機構を持つ電子機器には、次のような欠点があった。
（イ）経年使用でドア板２と凹み部１の対向する側壁１１、１４との摩擦係合によって、ドア板２と側壁１１、１４に傷が付くために電子機器の外観を損なう。
（ロ）経年使用によりドア板２と凹み部１の対向する側壁１１、１４との摩擦で材料が削られ、係合が緩くなり、開状態を保持できなくなる。
（ハ）凹み部１に設けた支柱４０の外径よりもブラケット受容部材２１、２１の内径を小さくしないと、摩擦によるドア板２の開状態保持ができない為、ドア板２の取り付け時において内径を小さくしたブラケット受容部材２１、２１の取り付けが困難となり、作業性が著しく低下する。
（ニ）ブラケット受容部材２１、２１の内径を小さくすることで、ドア板２の取り付け時にブラケット受容部材２１、２１が折れるなどの不具合が生じる危険性がある。
（ホ）ブラケット受容部材２１、２１の内径を小さくすることで、ドア板２の開閉動作時においてブラケット２０に負荷がかかり、ドア板２の開閉がスムーズに行なえないことによる品質の低下が生じる。
（ヘ）「（ハ）」及び「（ニ）」の不具合を解消するために、支柱４０の円筒表面４１を受容するブラケット受容部材２１、２１の開き（支柱４０との非接触部分）を大きくした場合、円筒表面４１とブラケット受容面２２、２２との接触面積が減少して十分な摩擦保持ができない可能性がある。
（ト）「（ハ）」〜「（ヘ）」の不具合が生じないように、ブラケット受容部材２１、２１の内径寸法及び支柱４０の外形寸法を選定する場合、現物の嵌合状態をチェックして繰り返し修正が必要となり、寸法が厳密になることに加え、高価な金型の修正費用及び余分な修正時間がかかる。
【０００７】
本発明は、上記の従来技術による電子機器の欠点を解決することを課題とする。
【課題を解決するための手段】
【０００８】
本発明の課題は、電子機器の接続端子及び／又は操作部を収納する凹み部を形成するための内壁と、当該接続端子及び／又は操作部にユーザーがアクセスできる開口部と、当該開口部を閉鎖することができるドア板と、当該ドア板を当該開口部に対して開放位置と閉鎖位置との間で枢動自在に支持し、かつ当該ドア板を開放位置に係止することができるピボット支持手段とからなる開閉ドアを備えることにより解決される。
さらに、本発明の課題は、上記の開閉ドアを備えた電子機器において、当該ピボット支持手段は、当該内壁又は当該ドア板のいずれかに形成されて当該ドア板枢動の中心となるピボット軸と、当該ドア板又は当該内壁のいずれかに形成されて当該ピボット軸を回動自在に受容する軸受けとからなり、当該ピボット軸と当該ピボット軸受けは、当該ドア板が開放位置にあるときに係止するための相互係合部を形成してなることによって解決される。
さらに、又、本発明の課題は、上記の開閉ドアを備えた電子機器において、当該ドア板にブラケットを設け、その先端に当該軸受けを形成し、当該内壁の対向する壁に当該ピボット軸を相互方向に当該軸受けで承支するように突出させ、当該ピボット軸は、その円周承支面に軸方向に延伸する溝を形成し、当該軸受けは軸受け面に畝状リブを形成して、当該ドア板が開放位置にあるときに係止することによって解決される。
さらに、又、本発明の課題は、上記の開閉ドアを備えた電子機器において、当該ドア板にブラケットを設け、その先端に当該軸受け部を形成し、当該内壁の対向する壁に当該ピボット軸を相互方向に当該軸受けで承支するように突出させ、当該ピボット軸はその突出先端部近傍から半径方向に延出した支持部材を有し、当該軸受けはそのピボット軸突出先端部に対応する端面において軸方向に突起を設けて、これにより、当該ドア板が開放位置にあるとき、当該軸受けに形成した突起が当該支持部材に係止することによって解決される。
【０００９】
さらに、又、本発明の課題は、上記の開閉ドアを備えた電子機器において、開放位置にあるドア板を接続端子及び／又は操作部の上方にて保持することによって解決される。
【発明の効果】
【００１０】
以上のように本発明によれば、上述の従来技術による欠点を解決することができ、ドア板と凹み部内壁板との接触摩擦が生じることなくドア板の開閉操作を行なうことができ、ドア板のピボット支持部に設けられた係合部によって、ドア板を開放位置に保持することができる。又、ドア板の軸受け端面に突起を設け、これを凹み部内壁板のピボット軸に突出して設けた支持部材を乗り越えて引っかかる構造とすることで、簡素な構造によってドア板を開放位置に保持することができ、さらに当該突起は、ドア板が開放方向へ回転するとき以外の状態においては、前記支持部材に接触しない構造としており、当該突起又は当該支持部材の変形や破損の危険性を軽減することができる。又、開放位置にあるドア板を凹み部の上方位置で保持することにより、当該凹み部への防塵効果とすることができる。
【発明を実施するための最良の形態】
【００１１】
以下、本発明の最良の実施形態として図１から図１０により以下に説明する。もちろん、本発明はその発明の趣旨に反さない範囲で、実施例において説明した以外のものに対しても容易に適応可能なことは説明を要するまでもない。
【００１２】
図１及び図２は開閉可能なドア板を備えた電子機器を示す斜視図であり、図１はドア板が閉鎖位置にある状態を示し、図２はドア板が開放位置にある状態を示す。図３は電子機器のフロントキャビネット単体の構造を示す斜視図である。図４から図７は本発明の第一実施例を示すもので、図４はドア板及び電子機器の凹み部近傍を一部切欠いて示す分解斜視図、図５はドア板が閉鎖位置及び開放位置にある状態の支柱近傍を示す側面図、図６は閉鎖位置にあるドア板と凹み部を示す平面側断面図、図７は開放位置にあるドア板及び凹み部の一部を示す部分拡大斜視図である。図８から図１０は本発明の第二実施例を示すもので、図８はドア板及び電子機器の凹み部近傍を一部切欠いて示す分解斜視図、図９はドア板の取り付け部分近傍を示すフロントキャビネットの部分拡大斜視図、図１０はドア板の開閉動作を示す側面側断面図である。
【実施例１】
【００１３】
本発明の最良の実施形態として第一の実施例について図４から図７を基に説明する。図４は本発明による電子機器の凹み部１の開口部１６を塞ぐドア板２の支持構造を示している。尚、図4の符号において従来技術の構造を示す図１１と同一の符号に関する説明については、前述と同様の内容であることから、ここでの説明は割愛する。本実施例では、凹み部１の側壁１１から突出して設けられた支柱４０の円筒表面４１において、その軸方向に延伸する溝４５が形成されている。又、図５（Ａ）に示すように、円筒表面４１の溝４５に対して所定の回動角度だけ離間した畝状リブ２５が、ブラケット受容部材２１、２１のブラケット受容面２２、２２に形成されている。さらに、このブラケット受容部材２１、２１はドア板２との連結部に樋状の切欠き２７を有し、分割延伸体２９、２９を一体に形成している。
【００１４】
尚、本実施例では図６に示すように、凹み部１の対向する側壁１１及び１４が奥壁１５に向かってほぼ平行に配置されて相互に傾斜しておらず、ドア板２の横幅より若干大きくなる間隔だけ互いの側壁１１及び１４は離間している。そのため、極小の隙間がドア板２と凹み部１の側壁１１及び１４との間に存在する。
【００１５】
次に本実施例におけるドアの開放動作について説明する。電子機器の凹み部１を開こうとするとき、ユーザーは図５（Ａ）において開口部を塞ぐ閉鎖位置にあるドア板２を開放位置に向けて、図の矢印方向に指などで回動させる。このとき、ドア板２は凹み部１の側壁１１に設けられた支柱４０をブラケット２０が受容しているので、この支柱４０を支点にドア板２が開放する方向へと枢動する。この間、ブラケット受容部材２１、２１のブラケット受容面２２、２２に形成した畝状リブ２５は支柱４０の円筒表面４１と接触しながら、所定の回動角度だけ離間した溝４５の位置まで移動し、その位置に達すると、ブラケット受容面２２、２２に形成した畝状リブ２５が溝４５に係合してドア板２の開放位置への回動が完了となる。畝状リブ２５と円筒表面４１との接触移動時、及び畝状リブ２５と溝４５との係合時においては、ブラケット受容部材２１、２１が樋状の切欠き２７を持つ分割延伸体２９、２９の形状と材料の性質により、相互方向に応力を受けることによって撓み変形可能な状態としている。すなわち、ドア板２が開放位置と閉鎖位置との間で回動するとき、ブラケット受容部材２１、２１は分割延伸体２９、２９により拡離するように撓み変形し、相互方向への応力を受ける。図５（Ｂ）は溝４５に畝状リブ２５が係合してドア板２が開放位置に保持されている状態を示している。
【００１６】
電子機器の凹み部１をドア板２で塞ぐ場合には、ユーザーがドア板２のブラケット受容面２２、２２に形成した畝状リブ２５を支柱４０の円筒表面４１に形成した溝４５から溝のない円筒表面４１へと乗り上げさせるために、図５（Ｂ）の矢印の方向へと指などで押して回動させる。このときも、樋状の切欠き２７を持つ分割延伸体２９、２９の形状と材料の性質により、ブラケット受容部材２１、２１が撓み変形をして畝状リブ２５の円筒表面４１上への乗り上げを支援するので、ドア板２を容易に閉鎖位置まで移動することができる。尚、閉鎖位置にあるドア板２は図示されていないフック等によりその位置に保持されている。
【実施例２】
【００１７】
次に図８から図９を参照して本発明の最良の実施形態として第二の実施例について説明する。図８は、本実施例におけるドア板２の支持構造を一部切欠いて示す分解斜視図である。図９は、本実施例におけるドア板２の取り付け部近傍を一部切欠いて示すフロントキャビネットの斜視図である。尚、第一の実施例と同様、従来技術と同じ部分については同一の符号を使用しており、従来技術と同一符号についての説明は割愛する。本実施例では、凹み部１の側壁１１から突出して設けられた支柱４０の突出先端部近傍より凹み部１の奥壁１５に向けて延伸した支持部材４７ａ、４７ｂが設けられ、当該支持部材４７ａ、４７ｂを前記奥壁１５と連結させることにより、前記支柱４０が側壁１１と奥壁１５との両壁面で支持される構造となるので、支柱４０の支持強度が向上すると共に、ドア板２を取り付ける際の補強となる。さらに、当該支柱４０に嵌合するドア板２のブラケット２０には、湾曲した２つのブラケット受容部材２１、２１のうち前記支持部材４７ａと当接する一方のブラケット受容部材２１ａの当接面側端部に軸方向へ突出した突起２４が形成されている。
【００１８】
続いて本実施例におけるドア板の開閉作動について、図１０を参照して説明する。電子機器の凹み部１の前面に取り付けられたドア板２を開こうとするとき、ユーザーは図１０（Ａ）に示す開口部１６を塞いでいるドア板２を開放位置に向けて図の矢印方向へと指などで回動させる。このとき、ドア板２は、凹み部１の側壁１１に設けられた支柱４０をブラケット２０によって受容しているので、支柱４０を支点としてドア板２が枢動する。図１０（Ｂ）から図１０（Ｄ）は、閉鎖位置にあるドア板２が開放位置の方向へと枢動している状態を連続的に示しており、ドア板２の矢印方向への枢動が進行して図１０（Ｅ）に達すると、ブラケット受容部材２１ａの端部に形成した突起２４が支持部材４７ａと当接する。ドア板２が開放位置に達するまではユーザーの指などによる矢印方向への回動が継続されるので、その応力により、ブラケット受容部材２１ａの端部に形成された突起２４は支持部材４７ａとの当接面を擦れながら同方向への回動を継続する。
【００１９】
ドア板２の回動をさらに続けると突起２４が支持部材４７ａとの当接から解放され、当該突起２４が支持部材４７ａと４７ｂとの間に形成された間隙部で保持される。このときの状態が図１０（Ｆ）であり、突起２４が支持部材４７ａ及び４７ｂの間に形成された間隙部で保持される位置がドア板２の開放位置となる。したがって、開放位置にあるドア板２は、支持部材４７ａと突起２４との係合により開放状態を保持することができる。
【００２０】
本発明の実施例１及び実施例２のドア板２では、開放位置と閉鎖位置との間における回動の途中状態において、凹み部１の側壁１１、１４にドア板２を接触させる必要がないために摩擦の発生及びそれによる不具合が生じることはない。又、開放位置での保持構造については、支柱４０に形成した溝４５にドア板２のブラケット受容部材２１に形成した畝状リブ２５を係合させる手段や、或いは支柱４０の近傍に形成した支持部材４７ａにドア板２のブラケット受容部材２１に形成した突起２４を係合させる手段を用いることで、従来技術のような凹み部１の側壁１１、１４にドア板２を摩擦によって保持させる必要がなく、確実にドア板２を開放位置にて保持することが出来る。
【００２１】
凹み部１の側壁１１及び１４が奥壁１５に向かって平行に形成されているので、従来の側壁における傾斜状態にて生じていたドア板２或いは側壁１１、１４の外観を損なうような傷が生ずることなく、又、ドア板２と側壁１１及び１４とが接触しない構造としているため、従来のようにドア板２と側壁１１及び１４との接触具合が不充分なために開放位置においてドア板２を保持出来ないなどの不具合が生じることなく、ドア板２の開閉操作を行なうことができる。
【００２２】
又、ドア板２を上方に開く構造とすることで、ドア板２の開放位置における保持状態が長時間に亘ったとしても、空気中に浮遊する埃がドア板２に堆積することで凹み部１内部への塵埃の侵入を防止することが可能となる。
【図面の簡単な説明】
【００２３】
【図１】開閉可能なドア板が閉鎖位置にある状態を示す電子機器の斜視図。
【図２】開閉可能なドア板が開放位置にある状態を示す電子機器の斜視図。
【図３】電子機器のフロントキャビネット単体を示す斜視図。
【図４】本発明の実施例１におけるドア板及び電子機器の凹み部近傍を一部切欠いて示す分解斜視図。
【図５】本発明の実施例１におけるドア板を取り付けた凹み部の支柱近傍を示す側面図であり、図５（Ａ）はドア板が閉鎖位置にある状態を示す側面図、図５（Ｂ）はドア板が開放位置にある状態を示す側面図。
【図６】本発明の実施例１における閉鎖位置にあるドア板及び凹み部を示す平面側断面図。
【図７】本発明の実施例１における開放位置にあるドア板及び凹み部の一部を示す部分拡大斜視図。
【図８】本発明の実施例２におけるドア板及び電子機器の凹み部近傍を一部切欠いて示す分解斜視図。
【図９】本発明の実施例２におけるドア板の取り付け部近傍を示すフロントキャビネットの部分拡大斜視図。
【図１０】本発明の実施例２におけるドア板の開閉動作態様を図１０（Ａ）ないし図１０（Ｆ）にてそれぞれ示す側面側断面図。
【図１１】従来技術におけるドア板及び電子機器の凹み部近傍を一部切欠いて示す分解斜視図。
【図１２】従来技術におけるドア板を取り付けた凹み部の支柱近傍を示す側面図であり、図１２（Ａ）はドア板が閉鎖位置にある状態を示す側面図、図１２（Ｂ）はドア板が開放位置にある状態を示す側面図。
【図１３】従来技術における閉鎖位置にあるドア板及び凹み部を示す平面側断面図。
【図１４】従来技術における開放位置にあるドア板及び凹み部の一部を示す部分拡大斜視図。
【符号の説明】
【００２４】
１  凹み部
２  ドア板
２０  ブラケット
２１  ブラケット受容部材
２２  ブラケット受容面
２４  突起
２５  畝状リブ
２７  切欠き
２９  分割延伸体
４０  支柱
４５  溝
４７  支持部材
【図１】
2005290973.tif 000003
【図２】
2005290973.tif 000004
【図３】
2005290973.tif 000005
【図４】
2005290973.tif 000006
【図５】
2005290973.tif 000007
【図６】
2005290973.tif 000008
【図７】
2005290973.tif 000009
【図８】
2005290973.tif 000010
【図９】
2005290973.tif 000011
【図１０】
2005290973.tif 000012
【図１１】
2005290973.tif 000013
【図１２】
2005290973.tif 000014
【図１３】
2005290973.tif 000015
【図１４】
2005290973.tif 000016